(57)【特許請求の範囲】
【請求項１】
複数のリード線が挿通した略筒状のチューブの外周に、略コの字状または略筒状の保持具を装着するワイヤーハーネスであって、前記保持具は開口部を有する上面と、前記上面に対し略直交方向の両側に、前記保持具の中間部に内方へ折曲された略Ｖ字状の一対の押圧部を対向して設け、前記押圧部を前記チューブ外周に圧接させて、前記保持具の前記リード線が挿通する方向における左右方向の一端に外力が加わると、前記押圧部が内方へ撓み、前記保持具が前記左右方向に弾性変形するワイヤーハーネス。
【請求項２】
略箱状のケースと、このケースに装着された操作体の操作に応じて電気的接離を行うスイッチ接点と、このスイッチ接点に接続され外方へ延出した請求項１記載のワイヤーハーネスからなり、前記ケースに前記ワイヤーハーネスに装着された前記保持具の前記左右方向の両端を係止する係合部を設けたスイッチ装置。
【発明の詳細な説明】
【技術分野】
【０００１】
本発明は、主に自動車の車室内の各種電子機器の操作に使用されるワイヤーハーネス及びこれを用いたスイッチ装置に関するものである。
【背景技術】
【０００２】
近年、自動車内のステアリングホイールやインストルメントパネル等に様々な操作方式のスイッチ装置を装着すると共に、これを車両の電子回路にワイヤーハーネスを介して接続し、スイッチ装置によって車室内の音響機器や空調機器等の各種電子機器の操作を行うものが増えている。
【０００３】
このような従来のワイヤーハーネス及びこれを用いたスイッチ装置について、図６及び図７を用いて説明する。
【０００４】
図６は従来のスイッチ装置の断面図であり、同図において、１は下面開口の略箱状で絶縁樹脂製の上ケースで、上面には略矩形状の開口筒部１Ａが形成されている。
【０００５】
そして、２は絶縁樹脂製の操作体で、上面には文字や記号等の形状に形成された表示部２Ａ、下面には下方へ突出する押圧ボス２Ｂが設けられると共に、この操作体２が上ケース１の開口筒部１Ａに上下動可能に装着されている。
【０００６】
また、３は上下面に複数の配線パターン（図示せず）が形成された配線基板、４はプッシュスイッチで、配線基板３上面にプッシュスイッチ４が実装装着されてスイッチ接点が形成されると共に、プッシュスイッチ４上面から上方へ突出した操作軸４Ａ上端には、操作体２下面から突出した押圧ボス２Ｂ下端が当接している。
【０００７】
さらに、５は発光ダイオード等の発光素子、６は絶縁樹脂製の下ケース、７は同じくカバーで、発光素子５がプッシュスイッチ４近傍の配線基板３上面に、発光面を上方に向けて実装装着されると共に、下ケース６が配線基板３下面を、カバー７が上ケース１上面を覆い、これらがねじ（図示せず）等によって固着されている。
【０００８】
また、１０はワイヤーハーネスで、略筒状で絶縁樹脂製のチューブ１１内に複数のリード線１２が挿通すると共に、リード線１２の一端に固着されたコネクタ１３が、配線パターンを介してプッシュスイッチ４や発光素子５に接続され、他端に固着されたコネクタ１４が外方へ延出している。
【０００９】
さらに、１５はポリアミド等の絶縁樹脂製の結束バンドで、図７（ａ）の分解斜視図に示すように、係合孔１５Ａが形成された略矩形状の締結部１５Ｂと、この締結部１５Ｂから延出した、帯状で表面に略鋸歯状の複数の凹凸が設けられたバンド部１５Ｃから形成されている。
【００１０】
そして、チューブ１１が下ケース６下端の略コの字状の係合部６Ａに挿入されると共に、チューブ１１外周と係合部６Ａに巻回された結束バンド１５によって、チューブ１１が締付けられ係合部６Ａに固定されて、スイッチ装置が構成されている。
【００１１】
なお、このように結束バンド１５によってチューブ１１を係合部６Ａに固定する際には、図７（ｂ）に示すように、先ず、リード線１２が挿通しコネクタ１３や１４が固着されたチューブ１１を、下ケース６の係合部６Ａに挿入し、チューブ１１外周と係合部６Ａに、結束バンド１５のバンド部１５Ｃを巻回した後、バンド部１５Ｃ先端を締結部１５Ｂの係合孔１５Ａに挿入する。
【００１２】
さらに、バンド部１５Ｃ先端を治工具等で手前に引っ張って、バンド部１５Ｃを表面の略鋸歯状の凹凸によって係合孔１５Ａに圧入し、チューブ１１を係合部６Ａに締付けた後、図７（ｃ）に示すように、係合孔１５Ａから突出した余分なバンド部１５Ｃを切断して、結束バンド１５によるワイヤーハーネス１０の係合部６Ａへの固定が行われる。
【００１３】
そして、このように構成されたスイッチ装置が、操作体２上面を手前にして車室内の、例えばステアリングホイールのスポーク（図示せず）等に取付けられて、自動車に装着されると共に、コネクタ１４が車両の電子回路（図示せず）に接続され、プッシュスイッチ４や発光素子５がワイヤーハーネス１０を介して、電子回路に電気的に接続される。
【００１４】
以上の構成において、操作体２上面を指で押圧操作すると、操作体２が下方へ移動し、下面の押圧ボス２Ｂ下端が操作軸４Ａを押圧して、プッシュスイッチ４の電気的接離が行われ、この電気信号が車両の電子回路へ出力されて、例えば、オーディオの音量の増減、あるいはエアコンの温度や風量の切換え等の操作が行なわれる。
【００１５】
また、夜間やトンネル内等の周囲が暗い場合には、別途ステアリングホイール近傍に装着されたコンビネーションスイッチ（図示せず）等を操作すると、この電気的接離を車両の電子回路が検出して、発光素子５を発光させる。
【００１６】
そして、この発光素子５の光が上方へ進み、操作体２上面の表示部２Ａを下方から照光することで、操作体２の識別や操作が容易に行えるようになっている。
【００１７】
つまり、スポーク等に装着されたスイッチ装置を、ワイヤーハーネス１０を介して車両の電子回路に接続し、スイッチ装置の操作体２を押圧操作することによって、車両内の様々な機器の操作が行えると共に、周囲が暗い場合でも、複数の発光素子５を発光させ、操作体２の表示部２Ａを照光することによって、操作体２の操作を容易に行えるように構成されているものであった。
【００１８】
なお、この出願の発明に関連する先行技術文献情報としては、例えば、特許文献１が知られている。
【先行技術文献】
【特許文献】
【００１９】
【特許文献１】特開２００７−２５７９７９号公報
【発明の概要】
【発明が解決しようとする課題】
【００２０】
しかしながら、上記従来のワイヤーハーネスやスイッチ装置においては、ワイヤーハーネス１０を下ケース６の係合部６Ａに固定する際、治工具等を用いて結束バンド１５の締付けや切断を行う必要があるため、組立て作業に時間を要すると共に、誤ってワイヤーハーネス１０に引っ張り等の外力が加わると、ワイヤーハーネス１０の位置ずれが生じてしまう場合があるという課題があった。
【００２１】
本発明は、このような従来の課題を解決するものであり、簡易な構成で組立て易く、確実な保持が可能なワイヤーハーネス及びこれを用いたスイッチ装置を提供することを目的とする。
【課題を解決するための手段】
【００２２】
上記目的を達成するために本発明は、複数のリード線が挿通した略筒状のチ  ューブの外周に、略コの字状または略筒状の保持具を装着するワイヤーハーネ スであって、保持具は開口部を有する上面と、この上面に対し略直交方向の両 側に、保持具の中間部に内方へ折曲された略Ｖ字状の一対の押圧部を対向して 設け、押圧部をチューブ外周に圧接させて、保持具のリード線が挿通する方向 における左右方向の一端に外力が加わると、押圧部が内方へ撓み、保持具が左 右方向に弾性変形するようにワイヤーハーネスを構成し、保持具の左右方向の  両端をケースの係合部に係止してスイッチ装置を構成したものであり、ワイヤ  ーハーネスをケースの係合部に係止する際、特に治工具等を用いなくとも容易  に装着することができるため、組立て作業を短い時間で行えると共に、ワイヤ  ーハーネスに多少の力が加わった場合でも、位置ずれなく確実な保持の可能な  ワイヤーハーネス、及びこれを用いたスイッチ装置を得ることができるという  作用を有するものである。
【発明の効果】
【００２３】
以上のように本発明によれば、組立て易く、確実な保持が可能なワイヤーハーネス、及びこれを用いたスイッチ装置を実現することができるという有利な効果が得られる。
【図面の簡単な説明】
【００２４】
【図１】本発明の一実施の形態によるスイッチ装置の断面図
【図２】同ワイヤーハーネスの分解斜視図
【図３】同分解斜視図
【図４】同平面図
【図５】同他の実施の形態による分解斜視図
【図６】従来のスイッチ装置の断面図
【図７】同分解斜視図
【発明を実施するための形態】
【００２５】
以下、本発明の実施の形態について、図１〜図５を用いて説明する。
【００２６】
なお、背景技術の項で説明した構成と同一構成の部分には同一符号を付して、詳細な説明を簡略化する。
【００２７】
（実施の形態）
図１は本発明の一実施の形態によるスイッチ装置の断面図であり、同図において、１は下面開口の略箱状でポリオキシメチレンやＡＢＳ等の絶縁樹脂製の上ケースで、上面には略矩形状の開口筒部１Ａが形成されている。
【００２８】
そして、２はポリカーボネートやＡＢＳ等の絶縁樹脂製の操作体で、上面には文字や記号等の形状に形成された表示部２Ａ、下面には下方へ突出する押圧ボス２Ｂが設けられると共に、この操作体２が上ケース１の開口筒部１Ａに上下動可能に装着されている。
【００２９】
また、３は紙フェノールやガラス入りエポキシ等の配線基板、４はプッシュスイッチで、配線基板３の上下面には銅箔等によって複数の配線パターン（図示せず）が形成されると共に、配線基板３上面にプッシュスイッチ４が実装装着されて、スイッチ接点が形成され、プッシュスイッチ４上面から上方へ突出した操作軸４Ａ上端には、操作体２下面から突出した押圧ボス２Ｂ下端が当接している。
【００３０】
さらに、５は発光ダイオード等の発光素子、１６は絶縁樹脂製の下ケース、７は同じくカバーで、発光素子５がプッシュスイッチ４近傍の配線基板３上面に、発光面を上方に向けて実装装着されると共に、下ケース１６が配線基板３下面を、カバー７が上ケース１上面を覆い、これらがねじ（図示せず）等によって固着されている。
【００３１】
また、２０はワイヤーハーネスで、略筒状で絶縁樹脂製のチューブ１１内に複数のリード線１２が挿通すると共に、リード線１２の一端に固着されたコネクタ１３が、配線パターンを介してプッシュスイッチ４や発光素子５に接続され、他端に固着されたコネクタ１４が外方へ延出している。
【００３２】
さらに、２１は略コの字状でポリアミドやポリオキシメチレン等の保持具で、図２（ａ）の分解斜視図に示すように、中間部上面に開口部２１Ａが形成されると共に、開口部２１Ａとは直交方向の中間部前後には、内方へ折曲された略Ｖ字状の一対の押圧部２１Ｂが設けられている。
【００３３】
そして、保持具２１の押圧部２１Ｂがチューブ１１外周に圧接すると共に、この保持具２１の両端が、下ケース１６下端の略爪状の係合部１６Ａに係止され、チューブ１１が締付けられ係合部１６Ａに固定されて、スイッチ装置が構成されている。
【００３４】
なお、このように保持具２１によってチューブ１１を係合部１６Ａに固定する際には、図２（ｂ）に示すように、先ず、リード線１２が挿通しコネクタ１３や１４が固着されたチューブ１１に、上方から押圧部２１Ｂをチューブ１１外周に圧接させて、チューブ１１外周に保持具２１を装着する。
【００３５】
次に、図３（ａ）の分解斜視図に示すように、チューブ１１外周に装着された保持具２１を、上方から下ケース１６の係合部１６Ａに挿入するが、この時、図３（ｂ）に示すように、保持具２１下端には傾斜が設けられ、その幅が係合部１６Ａ上端よりやや大きな寸法になっているため、保持具２１下端が係合部１６Ａ上端に挿入された状態では、保持具２１が左右方向に弾性変形し、押圧部２１Ｂがチューブ１１外周にさらに食い込んで圧接する。
【００３６】
そして、図３（ｃ）に示すように、保持具２１を係合部１６Ａに押し込んだ状態では、保持具２１下端がほぼ同じ幅寸法の係合部１６Ａ下端に当接して、チューブ１１が保持具２１によって係合部１６Ａに固定される。
【００３７】
なお、この時、保持具２１下端の幅を係合部１６Ａ下端の幅よりやや大きく形成し、保持具２１をやや撓んだ状態で係合部１６Ａに保持して、押圧部２１Ｂをチューブ１１外周に大きく食い込ませるようにすれば、チューブ１１の保持をより強固なものとすることができる。
【００３８】
つまり、チューブ１１外周に装着された保持具２１を、上方から下ケース１６の係合部１６Ａに挿入するだけで、特に治工具等を用いなくとも、ワイヤーハーネス２０を係合部１６Ａに容易に装着することができるようになっている。
【００３９】
そして、このように構成されたスイッチ装置が、操作体２上面を手前にして車室内の、例えばステアリングホイールのスポーク（図示せず）等に取付けられて、自動車に装着されると共に、コネクタ１４が車両の電子回路（図示せず）に接続され、プッシュスイッチ４や発光素子５がワイヤーハーネス２０を介して、電子回路に電気的に接続される。
【００４０】
以上の構成において、操作体２上面を指で押圧操作すると、操作体２が下方へ移動し、下面の押圧ボス２Ｂ下端が操作軸４Ａを押圧して、プッシュスイッチ４の電気的接離が行われ、この電気信号が車両の電子回路へ出力されて、例えば、オーディオの音量の増減、あるいはエアコンの温度や風量の切換え等の操作が行なわれる。
【００４１】
また、夜間やトンネル内等の周囲が暗い場合には、別途ステアリングホイール近傍に装着されたコンビネーションスイッチ（図示せず）等を操作すると、この電気的接離を車両の電子回路が検出して、発光素子５を発光させる。
【００４２】
そして、この発光素子５の光が上方へ進み、操作体２上面の表示部２Ａを下方から照光することで、操作体２の識別や操作が容易に行えるようになっている。
【００４３】
つまり、スポーク等に装着されたスイッチ装置を、ワイヤーハーネス２０を介して車両の電子回路に接続し、スイッチ装置の操作体２を押圧操作することによって、車両内の様々な機器の操作が行えると共に、周囲が暗い場合でも、複数の発光素子５を発光させ、操作体２の表示部２Ａを照光することによって、操作体２の操作を容易に行えるように構成されている。
【００４４】
そして、本発明においては、上述したように、中間部の内方へ折曲した押圧部２１Ｂがチューブ１１外周に圧接した保持具２１を、上方から下ケース１６の係合部１６Ａに装着するだけで、特に治工具等を用いなくとも、ワイヤーハーネス２０を係合部１６Ａに係止できるため、短い時間で組立て作業を行うことが可能なようになっている。
【００４５】
すなわち、複数のリード線１２が挿通したチューブ１１の外周に、保持具２１中間部の内方へ折曲した略Ｖ字状の一対の押圧部２１Ｂを圧接させて、ワイヤーハーネス２０を形成すると共に、保持具２１両端を下ケース１６の係合部１６Ａに係止して、スイッチ装置を組立てることによって、ワイヤーハーネス２０の係合部１６Ａへの固定を、容易に行えるように構成されている。
【００４６】
さらに、保持具２１の押圧部２１Ｂをチューブ１１外周に圧接させて、ワイヤーハーネス２０を係合部１６Ａに係止することで、チューブ１１等に多少の力が加わった場合でも、位置ずれなく確実にワイヤーハーネス２０を保持できるようになっている。
【００４７】
つまり、図４（ａ）の平面図に示すように、押圧部２１Ｂがチューブ１１外周に圧接し、保持具２１が係合部１６Ａに係止された状態で、図４（ｂ）に示すように、例えばチューブ１１を右方向へ引っ張るような外力が加わると、これによって保持具２１右端が係合部１６Ａに当接し、保持具２１が左右方向へ弾性変形する。
【００４８】
そして、押圧部２１Ｂが大きく内方へ撓み、より強くチューブ１１外周に食い込んで圧接されるため、この押圧部２１Ｂの保持力によって、チューブ１１が右方向へ動くことのないようになっている。
【００４９】
なお、このような外力がなくなった場合には、保持具２１が図４（ａ）に示すような元の状態に弾性復帰し、押圧部２１Ｂも元の状態に戻って、チューブ１１の保持が行われる。
【００５０】
すなわち、チューブ１１等に引っ張り方向の外力が加わった場合には、保持具２１が弾性変形し、押圧部２１Ｂがより強くチューブ１１外周に圧接することで、ワイヤーハーネス２０の位置ずれを防ぎ、確実な保持が行えるように構成されている。
【００５１】
なお、以上の説明では、略コの字状で中間部に一対の押圧部２１Ｂが形成された保持具２１を用いて、ワイヤーハーネス２０を係合部１６Ａに係止する構成について説明したが、図５（ａ）の分解斜視図に示すように、中間部上下面に開口部２１Ｃが形成されると共に、開口部２１Ｃとは直交方向の中間部前後には、内方へ折曲された略Ｖ字状の一対の押圧部２１Ｄが設けられた、略筒状の保持具２１Ｅを用いた構成としても、本発明の実施は可能である。
【００５２】
そして、このような略筒状の保持具２１Ｅを用いた場合には、図５（ｂ）に示すように、先ず、リード線１２が挿通しコネクタ１３や１４が固着されたチューブ１１外周に、押圧部２１Ｄを圧接させて保持具２１Ｅを装着し、次に、これを図５（ｃ）に示すように、上方から下ケース１６の係合部１６Ａに挿入する。
【００５３】
さらに、図５（ｄ）に示すように、保持具２１Ｅを係合部１６Ａに押し込み、保持具２１Ｅ両端を係合部１６Ａに係止して、押圧部２１Ｄが圧接したチューブ１１が、保持具２１Ｅによって係合部１６Ａに固定されるようになっている。
【００５４】
また、以上の説明では、配線基板３上面にプッシュスイッチ４を実装装着して、スイッチ接点を形成した構成について説明したが、配線基板３上面にカーボン等によって固定接点を形成し、この上に略ドーム状で導電金属薄板製の可動接点を載置した構成や、あるいは固定接点上に下面に可動接点が形成された略ドーム状で可撓性のゴムシートを載置したもの等、様々なスイッチ接点を用いた構成としても、本発明の実施は可能である。
【００５５】
このように本実施の形態によれば、複数のリード線１２が挿通したチューブ１１の外周に、保持具２１中間部の内方へ折曲した略Ｖ字状の一対の押圧部２１Ｂを圧接させて、ワイヤーハーネス２０を形成すると共に、保持具２１両端を下ケース１６の係合部１６Ａに係止することによって、ワイヤーハーネス２０を係合部１６Ａに係止する際、特に治工具等を用いなくとも容易に装着することができるため、組立て作業を短い時間で行えると共に、ワイヤーハーネス２０に多少の力が加わった場合でも、位置ずれなく確実な保持の可能なワイヤーハーネス、及びこれを用いたスイッチ装置を得ることができるものである。
【産業上の利用可能性】
【００５６】
本発明によるワイヤーハーネス及びこれを用いたスイッチ装置は、組立て易く、確実な保持が可能なものを得ることができるという有利な効果を有し、主に自動車の各種電子機器の操作用として有用である。
【符号の説明】
【００５７】
１  上ケース
１Ａ  開口筒部
２  操作体
２Ａ  表示部
２Ｂ  押圧ボス
３  配線基板
４  プッシュスイッチ
４Ａ  操作軸
５  発光素子
７  カバー
１１  チューブ
１２  リード線
１３、１４  コネクタ
１６  下ケース
１６Ａ  係合部
２０  ワイヤーハーネス
２１、２１Ｅ  保持具
２１Ａ、２１Ｃ  開口部
２１Ｂ、２１Ｄ  押圧部
【図１】
0005895140.tif 000002
【図２】
0005895140.tif 000003
【図３】
0005895140.tif 000004
【図４】
0005895140.tif 000005
【図５】
0005895140.tif 000006
【図６】
0005895140.tif 000007
【図７】
0005895140.tif 000008